(57)【要約】  １つ又はそれよりも多くの面取り又は丸形の縦方向縁部を有する喫煙物品のためのパック、特に、１つ又はそれよりも多くの面取り又は丸形の縦方向縁部を有する剛性カップ状パックを提供する。実質的に直方体の形態の喫煙物品のためのパック（２）は、１対の対向する主側壁（４、６）と、１対の対向する副側壁（８、１０）と、主側壁（４、６）と副側壁（８、１０）の間の４つの縦方向縁部（１６）と、主側壁（４、６）及び副側壁（８、１０）の横方向縁部によって形成された１対の実質的に矩形の対向する端面（１２、１４）とを含む。対向する実質的に矩形端面（１４）の少なくとも１つは、主側壁（４、６）及び副側壁（８、１０）の自由横方向縁部によって形成される開放端面であり、４つの縦方向縁部（１６）の少なくとも１つは、非直角部分（２０）を有し、パック（２）の横方向周囲長は、実質的に一定である。パック（２）は、好ましくは、折り畳まれたブランク（２２）で形成され、非直角部分（２０）は、好ましくは、ブランク（２２）における少なくとも３つの脆弱線によって形成される。【選択図】図１
2011515288.tif 000002
【特許請求の範囲】
【請求項１】
実質的に直方体の形態の喫煙物品のためのパック（２）であって、
１対の対向する主側壁（４、６）と、
１対の対向する副側壁（８、１０）と、
前記主側壁（４、６）及び副側壁（８、１０）の間の４つの縦方向縁部（１６）と、
前記主側壁（４、６）及び副側壁（８、１０）の横方向縁部によって形成された１対の対向する実質的に矩形の端面（１２、１４）と、
を含み、
前記対向する実質的に矩形の端面（１４）の少なくとも１つが、前記主側壁（４、６）及び副側壁（８、１０）の自由横方向縁部によって形成された開放端面であり、前記４つの縦方向縁部（１６）の少なくとも１つが、非直角部分（２０）を有し、パック（２）の横方向周囲長が、実質的に一定である、
ことを特徴とするパック（２）。
【請求項２】
前記４つの縦方向縁部（１６）の少なくとも１つが、前記対向する実質的に矩形の端面（１２、１４）に隣接する１対の対向する実質的に直角の部分（１８）と、該実質的に直角の部分（１８）の対の間に配置された非直角部分（２０）とを有することを特徴とする請求項１に記載のパック（２）。
【請求項３】
前記４つの縦方向縁部（１６）の少なくとも１つが、非直角平坦面取り部分（２０）を有することを特徴とする請求項１又は請求項２に記載のパック（２）。
【請求項４】
前記４つの縦方向縁部（１６）の少なくとも１つが、実質的に湾曲した横断面の非直角丸形部分（２０）を有することを特徴とする請求項１、請求項２、又は請求項３に記載のパック（２）。
【請求項５】
折り畳まれたブランク（２２）から形成され、
前記４つの縦方向縁部（１６）の少なくとも１つが、前記ブランク（２２）における少なくとも２つの縦方向脆弱線によって形成された非直角部分（２０）を有する、
ことを特徴とする請求項１から請求項４のいずれか１項に記載のパック（２）。
【請求項６】
前記少なくとも２つの縦方向脆弱線は、パックのそれぞれの隣接する主側壁（４）からパックのそれぞれの隣接する副側壁（８）内に延びることを特徴とする請求項５に記載のパック。
【請求項７】
前記４つの縦方向縁部（１６）の少なくとも１つが、前記ブランク（２２）における少なくとも３つの縦方向脆弱線によって形成された非直角部分（２０）を有することを特徴とする請求項５又は請求項６に記載のパック（２）。
【請求項８】
前記４つの縦方向縁部の少なくとも１つが、実質的に外向きに凸状の横断面の丸形部分を有することを特徴とする請求項１から請求項７のいずれか１項に記載のパック（２）。
【請求項９】
前記対向する実質的に矩形の端面（１４）の対の第１のものが、前記主側壁（４、６）及び副側壁（６、８）の自由横方向縁部によって形成された開放端面であり、該対向する実質的に矩形の端面（１４）の対の第２のものが、閉鎖端面であることを特徴とする請求項１から請求項８のいずれか１項に記載のパック（２）。
【請求項１０】
前記４つの縦方向縁部（１６）の各々が、非直角部分（２０）を有することを特徴とする請求項１から請求項９のいずれか１項に記載のパック（２）。
【発明の詳細な説明】
【技術分野】
【０００１】
本発明は、１つ又はそれよりも多くの面取り又は丸形の縦方向縁部を有する喫煙物品のためのパックに関し、詳細には、１つ又はそれよりも多くの面取り又は丸形の縦方向縁部を有する剛性カップ状パックに関する。
【背景技術】
【０００２】
シガレットは、一般的に、３つの別々の包装、すなわち、内側ライナ、柔軟性又は剛性外側パック、及び上包装紙にパッケージ化される。例えば、金属箔又は金属化紙の形態の内側ライナは、シガレットの束の周りに包まれて束の端部で折り畳まれる。印刷された厚紙又は紙ブランクが、シガレットの束及び内側ライナの周りに折り畳まれて、柔軟性又は剛性外側パックが形成される。当業技術では、これらの外側パックは、一般的に、その壁の数に応じてスリーブ、カップ、又は箱の形態を有すると呼ばれる。「スリーブ」状パックは、通常４つの側壁と開放上端及び下端とを有する。「カップ」状パックは、通常４つの側壁、底部壁、及び開放上端を有する。「箱」状パックは、通常４つの側壁、底部壁、及び上部壁を有する。シガレット束の新鮮さを保つために、パックは、開封を容易にするために典型的には引き裂きテープを含む例えばポリエチレン又はポリプロピレンフィルムの上包装紙で収縮包装される。
【０００３】
シガレットのための剛性パックは、通常は、直角の縦方向縁部に沿って接続された２つの主側壁及び２つの副側壁を有する実質的に直方体の形である。直方体剛性パックの周りに上包装紙が包まれると、上包装紙の矩形の折り畳まれた区画がパックの上端及び下端に作られる。
剛性パックを作るために折り畳まれた厚紙ブランクに切り込みを入れることによって形成された１つ又はそれよりも多くの面取り又は丸形の縦方向縁部を有する剛性パックも公知である。面取り又は丸形の縦方向縁部を有する剛性パックは、有利な態様においては、直角の縦方向縁部を有するものよりも人間工学的であり、消費者の衣類及びバッグの摩耗を低減することができる。しかし、そのようなパックの上端及び下端は、直角ではなく、代わりに、パックの縦方向縁部の面取り又は丸形のために「コーナがない」。上包装紙が面取り又は丸形の縦方向縁部の剛性パックの周りで包まれると、上包装紙の矩形折り畳み区画が、依然としてパックの上端及び下端で作られる。上包装紙のこれらの矩形の折り畳まれた区画は、パックの面取り又は丸形の上側及び下側コーナの形に従わない。その代わり、上包装紙の矩形の折り畳まれた区画の直角のコーナは、パックの面取り又は丸形の上側及び下側コーナを超えて突出する。結果として、見苦しく折り畳まれるのを避けるために、面取り又は丸形の縦方向縁部を有する剛性パックの上包装紙は、剛性の直方体パックの上包装紙よりもパックの上側及び下側コーナでより多く収縮する必要がある。
【０００４】
剛性カップ状パックでは、パックの上端が開放しており、コーナがないのを補償するのに必要な付加的な収縮によって作り出される力のために、面取り又は丸形の縦方向縁部の剛性カップ状パックが上包装紙で収縮包装される時に内向きに変形する傾向がある。その結果、剛性カップ状パックが面取り又は丸形の縦方向縁部を有する場合、上包装紙に見苦しい皺を作り出すことなしにパックの上側及び下側コーナで透明な上包装紙を付加的に収縮させることができない。
【先行技術文献】
【特許文献】
【０００５】
【特許文献１】ＵＳ−Ａ−４、７１４、０８２
【特許文献２】ＵＳ−Ａ−５、６９２、５２５
【発明の概要】
【発明が解決しようとする課題】
【０００６】
パックの上側及び下側コーナで又はその面取り又は丸形の縦方向縁部に沿って透明上包装紙の付加的収縮の必要なく上包装することができる面取り又は丸形の縦方向縁部を有する喫煙物品のためのパックを生成することが望ましいと考えられる。
【課題を解決するための手段】
【０００７】
本発明により、実質的に直方体の形態の喫煙物品のためのパックを提供し、パックは、１対の対向する主側壁と、１対の対向する副側壁と、主及び副側壁の間の４つの縦方向縁部と、主及び副側壁の横方向縁部によって形成された１対の対向する実質的に矩形の端面とを含み、対向する実質的に矩形の端面の少なくとも１つは、主及び副側壁の自由な横方向縁部によって形成された開放端面であり、４つの縦方向縁部の少なくとも１つは、非直角部分を含み、パックの横方向周囲長は、実質的に一定である。
【０００８】
本明細書を通して、横方向周囲長は、パックの縦軸線に垂直なパックの主及び副側壁回りの距離を示すために使用される。
対向する矩形の端面と実質的に一定の横方向周囲長との組合せは、有利な態様においては、パックの上側及び下側コーナのいずれにおいても又はパックの４つの縦方向縁部に沿って、上包装紙を付加的に収縮させる必要なく本発明によるパックを上包装することを可能にする。
【０００９】
上包装紙は、本発明によるパックの対向する矩形端面にわたって折り畳まれる時に、パックの対向する実質的に矩形端面の実質的に直角のコーナの形状に従う。更に、本発明によるパックの横方向周囲長が実質的に一定なので、上包装紙をパックの縦方向縁部の形状に従わせるために上包装紙の付加的な収縮も不要である。実質的に一定の横方向周囲長は、本発明によるパックの対向する実質的に矩形端面の横方向周囲長が、その４つの縦方向縁部の非直角部分の周りの横方向周囲長と実質的に同じであることを意味する。これは、有利な態様においては、本発明によるパックが上包装される時に平滑で皺のない上包装紙の取得を容易にする。
【００１０】
４つの縦方向縁部の少なくとも１つは、非直角平坦面取り部分を有することができる。例えば、４つの縦方向縁部の少なくとも１つは、パックの隣接する主及び副側壁に対して約３０度と約６０度の間、好ましくは約４５度傾いた平坦な面取り部分を有することができる。
代替的に又は追加的に、４つの縦方向縁部の少なくとも１つは、実質的に湾曲断面の非直角丸形部分を有することができる。例えば、４つの縦方向縁部の少なくとも１つは、実質的に外向きに凸状横断面の丸形部分を有することができる。代替的に又は追加的に、４つの縦方向縁部の少なくとも１つは、実質的に外向きに凹状横断面の丸形部分を有することができる。
好ましくは、４つの縦方向縁部の各々は、非直角部分を含む。
【００１１】
本発明の好ましい実施形態では、パックの４つの縦方向縁部の各々は、非直角平坦面取り部分を有する。本発明の別の好ましい実施形態では、パックの４つの縦方向縁部の各々は、実質的に湾曲横断面の非直角丸形部分を有する。しかし、本発明の代替的な実施形態では、パックの４つの縦方向縁部の少なくとも第１のものは、非直角平坦面取り部分を有し、パックの４つの縦方向縁部の少なくとも第２のものは、実質的に湾曲断面の非直角丸形部分を有する。例えば、４つの縦方向縁部の第１の対の各々は、非直角平坦面取り部分を有することができ、４つの縦方向縁部の第２の対の各々は、実質的に湾曲断面の非直角丸形部分を有することができる。
【００１２】
好ましくは、４つの縦方向縁部の少なくとも１つは、対向する実質的に矩形の端面に隣接した１対の対向する実質的に直角部分と、実質的に直角部分の対の間に配置された非直角部分とを有する。対向する実質的に直角部分の対は、同じか又は異なる長さとすることができる。
より好ましくは、４つの縦方向縁部の少なくとも１つは、対向する実質的に矩形の端面に隣接する１対の対向する実質的に直角な副部分と、実質的に直角部分の対の間に配置された非直角主部分とを有する。
本発明の好ましい実施形態では、４つの縦方向縁部の各々は、対向する実質的に矩形端面に隣接する１対の対向する実質的に直角な副部分と、実質的に直角副部分の対の間に配置された非直角主部分とを有する。
【００１３】
本発明によるパックは、以下に限定されるものではないが、紙、厚紙、板紙、アルミニウムのような金属、又はプラスチックを含むパッケージ化のために使用されるあらゆる適切な公知の材料又はそれらの材料の組合せから形成することができる。
本発明によるパックは、好ましくは、折り畳まれたブランク、より好ましくは、折り畳まれた厚紙ブランク、最も好ましくは、重量が平方メートルあたり約２００グラムと約４００グラムの間の折り畳まれた厚紙ブランクで形成される。本発明の特に好ましい実施形態では、パックは、重量が平方メートルあたり約２５０グラムの折り畳まれた厚紙ブランクで形成される。
【００１４】
好ましくは、パックは、折り畳まれたブランクで形成され、４つの縦方向縁部の少なくとも１つは、ブランクにおける２つ又はそれよりも多くの縦方向脆弱線によって形成された非直角部分を有する。より好ましくは、４つの縦方向縁部の少なくとも１つは、ブランクにおける２つと５つの間の縦方向脆弱線によって形成された非直角部分を有する。
用語「脆弱線」は、本明細書では、折り目を付けるか、切り込みを入れるか、型押しするか、又は同等の公知の工程によってブランクを圧縮又は部分的に切断して形成された線を説明するのに使用される。
【００１５】
例えば、４つの縦方向縁部の少なくとも１つは、ブランクにおける２つの縦方向脆弱線によって形成された非直角平坦面取り部分を有することができる。代替的に又は追加的に、４つの縦方向縁部の少なくとも１つは、ブランクにおける３つ又はそれよりも多くの縦方向脆弱線によって形成された実質的に湾曲横断面の非直角丸形部分を有することができる。
好ましくは、４つの縦方向縁部の少なくとも１つは、ブランクにおける少なくとも３つの縦方向脆弱線によって形成された非直角部分を有する。より好ましくは、４つの縦方向縁部の少なくとも１つは、ブランクにおける３つと５つの間の縦方向脆弱線によって形成された非直角部分を有する。
【００１６】
少なくとも３つの縦方向脆弱線による非直角部分の形成により、有利な態様においては、縦方向縁部の非直角部分の曲率が増大し、丸形で人間工学的外観のパックが与えられる。
非直角部分は、ブランクにおける２つ又はそれよりも多くの直線縦方向脆弱線、又はブランクにおける２つ又はそれよりも多くの湾曲縦方向脆弱線、又はブランクにおける少なくとも１つの直線縦方向脆弱線と少なくとも１つの湾曲縦方向脆弱線との組合せによって形成することができる。
【００１７】
好ましい実施形態では、４つの縦方向縁部の少なくとも１つは、ブランクにおける少なくとも３つの実質的に平行な直線縦方向脆弱線によって形成された非直角部分を有する。
４つの縦方向縁部の少なくとも１つは、パックのそれぞれの隣接する主側壁からパックのそれぞれの隣接する副側壁内に延びるブランクにおける少なくとも２つの縦方向脆弱線で形成された非直角部分を有することができる。それによって非直角部分がパックの縦方向縁部の周りで「捩れている」印象が与えられる。
好ましくは、対向する実質的に矩形の端面の一方は、主及び副側壁の自由横方向縁部によって形成された開放端面であり、主及び副側壁の横方向縁部によって形成された対向する実質的に矩形の端面の他方は、パックの実質的に矩形の端部壁である。
【００１８】
本発明によるパックは、好ましくは、主及び副側壁の自由横方向縁部によって形成された上側の実質的に矩形端面と下側の実質的に矩形端部壁とを含む剛性カップ状パックである。しかし、本発明によるパックは、以下に限定されるものではないが、スライド及びシェル式パック及びブックレット式パックを含む喫煙物品のための他の公知の形式のパックにすることもできることは認められるであろう。
【００１９】
本発明によるパックは、以下に限定されるものではないが、セロファン、例えば、ポリエチレン又は配向ポリプロピレン、金属化ポリマーフィルム、及び積層ポリマーフィルムのポリマーフィルムを含むあらゆる適切な公知の材料又は材料の組合せを用いて公知の方法で上包装することができる。
好ましくは、本発明によるパックは、透明な上包装紙を用いて収縮包装される。より好ましくは、本発明によるパックは、ポリエチレン又はポリプロピレンフィルムの透明な上包装紙を用いて収縮包装される。
【００２０】
本発明によるパックは、１つ又はそれよりも多くの引き裂きテープを含む上包装紙を用いて上包装することができる。１つ又はそれよりも多くの引き裂きテープは、パックの周囲回りで横方向又は縦方向に延びることができる。
本発明によるパックは、以下に限定されるものではないが、従来型の着火端部シガレット、シガー、シガリロ、加熱式シガレット（例えば、燃焼熱源又は燃料要素を含むシガレット（例えば、ＵＳ−Ａ−４、７１４、０８２に開示する形式のシガレット））、及び電気喫煙システムで使用するためのシガレット（例えば、ＵＳ−Ａ−５、６９２、５２５に開示する形式のシガレット）を含む喫煙物品を収容するのに使用することができる。
【００２１】
本発明によるパックは、その寸法の適切な選択により、全部で、例えば、１０、１５、１６、１７、１８、１９、２０、２１、又は２５の喫煙物品を収容するように設計することができる。本発明によるパックに収容される喫煙物品は、それらの総数に応じて異なる丁合で配列することができる。例えば、本発明によるパックは、６、７、８、９、又は１０が１列に、５、６、７、８、９、又は１０が２列に、５−６、６−７、又は７−８の丁合で２列に、５又は７が３列に、５−６−５、６−５−６、５−６−７、６−７−５、７−５−７、７−６−７、又は８−９−８の丁合で３列に、４、５、又は６が４列に配列された喫煙物品を収容することができる。
【００２２】
代替的に又は追加的に、本発明によるパックは、異なる寸法の喫煙物品（例えば、異なる長さ又は異なる外周の喫煙物品）を収容するように設計することができる。本発明によるパックは、例えば、異なる数のショートサイズ（長さが約６０ｍｍと約６５ｍｍの間）、レギュラーサイズ（長さが約７０ｍｍ）、キングサイズ（長さが約７５ｍｍ）、スーパーキングサイズ、スリム、スーパースリム、又はワイドシガレットを収容するように設計することができる。本発明によるパック内に収容されるシガレット又は他の喫煙物品は、円形又は長円形横断面とすることができる。
【００２３】
本発明によるパックは、好ましくは、パックに収容された喫煙物品の束の周りに巻かれる内側ライナを更に含む。好ましくは、内側ライナは、実質的に空気不透過性材料で形成される。好ましい実施形態では、内側包装紙は、喫煙物品の実質的に気密包装束を形成するために密封される。好ましくは、内側ライナは、消費者が喫煙物品の包装された束を開いて再度閉じることを可能にする再閉鎖可能フラップを含む。
本発明によるパックの外面には、製造業者又は銘柄ロゴ、商標、スローガン、及び他の消費者情報及び印しを印刷、エンボス、デボス、又はその他の方法で装飾することができる（例えば、ラベル又はステッカーを使用して）。
添付図面を参照して本発明を単に一例として以下に更に説明する。
【図面の簡単な説明】
【００２４】
【図１】本発明の第１の実施形態による空の剛性カップ状パックの斜視図である。
【図２】図１に示すパックの側面図である。
【図３】図１のパックを形成するためのブランクの平面図である。
【図４ａ】図１のパックの上側コーナの拡大斜視図である。
【図４ｂ】本発明の第２の実施形態による剛性カップ状パックの上側コーナの斜視図である。
【図４ｃ】本発明の第３の実施形態による剛性カップ状パックの上側コーナの斜視図である。
【図５】本発明の第４の実施形態による剛性カップ状パックの縦方向縁部の斜視図である。
【発明を実施するための形態】
【００２５】
図１に示す本発明の第１の実施形態による空の剛性カップ状パック２は、実質的に直方体の形態であり、主前部壁４及び対向する主後部壁６と、第１の副側壁８及び対向する第２の副側壁１０と、下側矩形端部壁１２、及び主前部壁４、主後部壁６、第１の副側壁８、及び第２の副側壁１０の上側横方向自由縁部によって形成された対向する開放上側矩形端面１４とを含む。
用語「前部」、「後部」、「下側」、及び「上側」は、本明細書においては、剛性カップ状パックが、その開放端面がパックの上部にある状態で立位にある時に、剛性カップ状パックの壁、端部、及び面の相対的位置を説明するように使用される。本発明によるパックを説明する時に、説明されている剛性カップ状パックの向きに関係なくこれらの用語が使用される。
【００２６】
第１の副側壁８及び第２の副側壁１０の各々は、１対の対向する縦方向縁部１８に沿って主前部壁６及び主後部壁１０に接続される。図１に示すように、縦方向縁部１８の各々は、下端壁１２に隣接する１対の対向する副直角部分１８及びパック２の開放上端面１４と、１対の対向する直角部分１８の間に配置された主非直角平坦面取り部分２０とを含む。代替的な実施形態（図示せず）では、対向する直角部分１８は、異なる長さとするか又は省略することができることは認められるであろう。各縦方向縁部１６の主非直角平坦面取り部分２０は、縦方向縁部１６に隣接するパック２の主壁６、１０、及び副側壁８、１０に対して約４５度傾いている。剛性カップ状パック２が喫煙物品を収容する時、剛性カップ状パック２の高さは、好ましくは実質的に喫煙物品の長さに対応する。
【００２７】
図２は、本発明の第１の実施形態による剛性カップ状パック２の側面図である。図２に示すように、剛性カップ状パック２の主前部壁４及び主後部壁６は、４つの縦方向縁部１６の主非直角平坦面取り部分２０の範囲で僅かに外向きに凸面である。本発明の第１の実施形態による剛性カップ状パック２の横方向周囲長は、従って、実質的に一定のままである。
本発明の第１の実施形態による剛性カップ状パック２を形成するための細長い単体厚紙ブランク２２が図３に示されており、パック２の部分に対応するブランク２２の部分に対して図３で同じ参照番号が使用される。図３では、ブランク２２の切断線又は他の外側境界を示すために実線が使用されている。剛性カップ状パック２の組立時にそれに沿ってブランク２２が曲げられるブランク２２の厚紙を圧縮又は部分的に切断することによって形成される脆弱線を示すために破線が使用されている。脆弱線は、例えば、折り目を付けるか、切り込みを入れるか、エンボス加工するか、又は類似工程によって形成される。
【００２８】
ブランク２２は、下側矩形端部壁パネル１２によってブランク２２の縦方向に分離された主前部壁パネル４及び主後部壁パネル６を含む。対向する第１の８ａ及び第２の１０ａの外側副側壁パネル８は、組み立てられた剛性カップ状パック２の縦方向縁部１６を形成する縦方向脆弱線に沿って主前部壁パネル４のいずれかの側面に接続される。対向する第１の８ｂ及び第２の１０ｂの内側副側壁パネル８は、組み立てられた剛性カップ状パック２の縦方向縁部１６を形成する縦方向脆弱線に沿って主後部壁パネル６のいずれかの側面に接続される。図３に示すように、各縦方向縁部１６の主非直角平坦面取り部分２０は、縦方向縁部１６の対向する直角部分１８の端部に収束する１対の平行で離間した直線縦方向脆弱線によって形成される。
【００２９】
パック２の４つの縦方向縁部１６の１対の対向する副直角部分１８が省略されている代替的な実施形態（図示せず）では、縦方向縁部１６の非直角平坦面取り部分２０を形成している１対の縦方向脆弱線は、ブランク２２の主前部壁パネル４と主後部壁６とのコーナに収束する。
ブランク２２は、横方向脆弱線に沿って下側矩形端部壁パネル１２に隣接している第１の８ｂの及び第２の１０ｂの内側副側壁パネルの端部に接続された１対の下端壁フラップ２８を更に含む。
【００３０】
図２のブランクでは、ブランク２２の外側の８ａ、１０ａ及び内側の８ｂ、１０ｂの副側壁パネルの縦方向自由縁部は、剛性カップ状パック２の４つの縦方向縁部１６の副直角部分１８及び主非直角平坦面取り部分２０を形成する脆弱線のプロフィールを追随するように切断される。
図４ａは、図１の破線で囲んだ本発明の第１の実施形態による剛性カップ状パック２の上側前部コーナの拡大斜視図である。図４ａ及び４ｂの各々は、本発明の第２及び第３の実施形態による剛性カップ状パック２の上側コーナの対応する図である。
【００３１】
本発明の第１の実施形態による剛性カップ状パック２におけるように、本発明の第２の実施形態による剛性カップ状パックの４つの縦方向縁部の各々は、１対の対向する副直角部分１８と、１対の対向する直角部分１８の間に配置された主非直角部分２０とを含む。しかし、図４ｂに示すように、本発明の第２の実施形態による剛性カップ状パックでは、縦方向縁部の各々の主非直角部分２０は、縦方向縁部の対向する直角部分１８の端部に収束する４つの平行で直線の縦方向脆弱線によって形成される。
【００３２】
本発明の第３の実施形態による剛性カップ状パック２の４つの縦方向縁部の各々も、１対の対向する副直角部分１８と、１対の対向する直角部分１８の間に配置された主非直角部分２０とを含む。しかし、本発明の第３の実施形態による剛性カップ状パック２では、縦方向縁部の各主非直角部分２０は、５つの平行な直線縦方向脆弱線によって形成される。図４ｃに示すように、５つの平行な直線縦方向脆弱線うちの４つは、非直角部分２０の各々を形成する縦方向縁部の対向する直角部分１８の端部に収束する。第５の中心直線縦方向脆弱線は、他の４つの縦方向脆弱線と比べて長さが縮小されており、対向する非直角部分１８の端部の方向に延びていない。
【００３３】
図５は、本発明の第４の実施形態による剛性カップ状パックの縦方向縁部の斜視図である。本発明の第１、第２、及び第３の実施形態による剛性カップ状パックにおけるように、本発明の第４の実施形態による剛性カップ状パックの４つの縦方向縁部の各々は、１対の対向する副直角部分１８と、１対の対向する直角部分１８の間に配置された主非直角部分２０とを含む。しかし、図５に示すように、本発明の第４の実施形態による剛性カップ状パックでは、縦方向縁部の各主非直角部分２０は、パックのそれぞれの隣接する副側壁８からパックのそれぞれの隣接する主側壁４に下向きに延びている。それによって本発明の第４の実施形態による剛性カップ状パックが反時計回りに捩れている印象が与えられる。代替的な実施形態（図示せず）では、縦方向縁部の各主非直角部分２０は、パックのそれぞれの隣接する主側壁４からパックのそれぞれの隣接する副側壁８に下向きに延びている。それによって剛性カップ状パックが時計方向に捩れている印象が与えられる。
【００３４】
本発明の第２、第３、及び第４の実施形態による剛性カップ状パックは、他の点では図１に示す本発明の第１の実施形態による剛性カップ状パック２と同一構成である。
本発明による剛性カップ状パックは、有利な態様においては、副次的な修正のみを経て公知のヒンジ式蓋式パックを生産するための既存の機械を使用して生産することができる。
本発明は、上述のように剛性カップ状パックに関連して例示したが、本発明によるパックは、代替的に、スライド及びシェル式パック、ブックレット式パック、又は少なくとも１つの実質的に矩形開放端面を有する当業技術で公知の実質的に直方体の形態のあらゆる他のパックとすることができることは認められるであろう。
【符号の説明】
【００３５】
２  喫煙物品のためのパック
４、６  主側壁
８、１０  副側壁
１２、１４  端面
１６  縦方向縁部
２０  非直角部分
【図１】
2011515288.tif 000003
【図２】
2011515288.tif 000004
【図３】
2011515288.tif 000005
【図４ａ】
2011515288.tif 000006
【図４ｂ】
2011515288.tif 000007
【図４ｃ】
2011515288.tif 000008
【図５】
2011515288.tif 000009
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
実質的に直方体の形態の喫煙物品のためのパック（２）であって、
１対の対向する主側壁（４、６）と、
１対の対向する副側壁（８、１０）と、
前記主側壁（４、６）及び副側壁（８、１０）の間の４つの縦方向縁部（１６）と、
前記主側壁（４、６）及び副側壁（８、１０）の横方向縁部によって形成された１対の対向する実質的に矩形の端面（１２、１４）と、
を含み、
前記対向する実質的に矩形の端面（１４）の対の第１のものが、前記主側壁（４、６）及び副側壁（６、８）の自由横方向縁部によって形成された開放端面であり、該対向する実質的に矩形の端面（１４）の対の第２のものが、閉鎖端面であり、
前記４つの縦方向縁部（１６）の少なくとも１つが、非直角部分（２０）を有し、パック（２）の横方向周囲長が、実質的に一定である、
ことを特徴とするパック（２）。
【請求項２】
前記４つの縦方向縁部（１６）の少なくとも１つが、前記対向する実質的に矩形の端面（１２、１４）に隣接する１対の対向する実質的に直角の部分（１８）と、該実質的に直角の部分（１８）の対の間に配置された非直角部分（２０）とを有することを特徴とする請求項１に記載のパック（２）。
【請求項３】
前記４つの縦方向縁部（１６）の少なくとも１つが、非直角平坦面取り部分（２０）を有することを特徴とする請求項１に記載のパック（２）。
【請求項４】
前記４つの縦方向縁部（１６）の少なくとも１つが、実質的に湾曲した横断面の非直角丸形部分（２０）を有することを特徴とする請求項１に記載のパック（２）。
【請求項５】
折り畳まれたブランク（２２）から形成され、
前記４つの縦方向縁部（１６）の少なくとも１つが、前記ブランク（２２）における少なくとも２つの縦方向脆弱線によって形成された非直角部分（２０）を有する、
ことを特徴とする請求項１から請求項４のいずれか１項に記載のパック（２）。
【請求項６】
前記４つの縦方向縁部（１６）の少なくとも１つが、前記ブランク（２２）における少なくとも３つの縦方向脆弱線によって形成された非直角部分（２０）を有することを特徴とする請求項５に記載のパック（２）。
【国際調査報告】
2011515288.tif 000010
2011515288.tif 000011
2011515288.tif 000012
2011515288.tif 000013